(57)【特許請求の範囲】
【請求項１】
コンピュータに、
入力受付部によって受け付けられた操作に応じてゲームのフィールド内に射出される移動オブジェクトを表示させる移動オブジェクト表示機能と、
前記ゲームのフィールド内に設置されたプレイヤ領域の広さに関する情報を用いて、前記フィールド内に射出された移動オブジェクトの少なくとも一部が当該プレイヤ領域と当該プレイヤ領域とは異なる他の領域との境界に接触したか否かを判定する境界判定機能と、
前記移動オブジェクトが前記境界に接触したと判定された場合、前記移動オブジェクトに応じて決定された大きさで、前記プレイヤ領域を、前記他の領域に向けて前記移動オブジェクトの属性に応じた態様で拡大する領域変更機能とを実現させるゲームプログラム。
【請求項２】
前記ゲームプログラムは、前記コンピュータに、
プレイヤの操作に応じて前記プレイヤ領域に領域確定オブジェクトを配置する領域確定オブジェクト配置機能をさらに実現させ、
前記境界判定機能は、前記移動オブジェクトが前記領域確定オブジェクトに接触したか否かをさらに判定し、
前記領域確定オブジェクトは、前記移動オブジェクトが前記領域確定オブジェクトと接触したと判定された場合、当該移動オブジェクトの移動経路を変化させるものであることを特徴とする請求項１に記載のゲームプログラム。
【請求項３】
前記移動オブジェクトおよび前記領域確定オブジェクトには、当該移動オブジェクトおよび当該領域確定オブジェクトの各性質を表す属性がそれぞれ設定されており、
前記ゲームプログラムは、前記コンピュータに、
前記移動オブジェクトが前記領域確定オブジェクトに接触した場合、当該移動オブジェクトに設定された属性と、当該領域確定オブジェクトに設定された属性との組み合わせに応じて、当該移動オブジェクトの移動および／または当該領域確定オブジェクトの状態を変化させるオブジェクト変化機能をさらに実現させることを特徴とする請求項２に記載のゲームプログラム。
【請求項４】
前記ゲームプログラムは、前記コンピュータに、
前記移動オブジェクトの少なくとも一部が前記プレイヤによって配置された前記領域確定オブジェクトに接触した場合、当該プレイヤに所定の特典を付与する特典付与機能をさらに実現させることを特徴とする請求項２または３に記載のゲームプログラム。
【請求項５】
前記ゲームプログラムは、前記コンピュータに、
前記特典付与機能によって付与された所定の特典を用いることによって、前記移動オブジェクトに設定された属性および／または前記領域確定オブジェクトに設定された属性を変化させる属性変更機能をさらに実現させることを特徴とする請求項４に記載のゲームプログラム。
【請求項６】
前記ゲームプログラムは、前記コンピュータに、
前記フィールド内に前記移動オブジェクトを射出する強度を指定する強度指定機能をさらに実現させ、
前記移動オブジェクト表示機能は、前記強度指定機能によって指定された強度に応じて前記移動オブジェクトが射出されるように、当該移動オブジェクトを表示させることを特徴とする請求項１から５のいずれか一項に記載のゲームプログラム。
【請求項７】
前記移動オブジェクト表示機能は、前記移動オブジェクトの性質を表す属性に応じて、当該移動オブジェクトの表示態様を変えて表示することを特徴とする請求項１から６のいずれか一項に記載のゲームプログラム。
【請求項８】
入力受付部によって受け付けられた操作に応じて、ゲームのフィールド内に射出される移動オブジェクトを表示させる移動オブジェクト表示ステップと、
前記ゲームのフィールド内に設置されたプレイヤ領域の広さに関する情報を用いて、前記フィールド内に射出された移動オブジェクトの少なくとも一部が当該プレイヤ領域と当該プレイヤ領域とは異なる他の領域との境界に接触したか否かを判定する境界判定ステップと、
前記移動オブジェクトが前記境界に接触したと判定された場合、前記移動オブジェクトに応じて決定された大きさで、前記プレイヤ領域を、前記他の領域に向けて前記移動オブジェクトの属性に応じた態様で拡大する領域変更ステップとをコンピュータのプロセッサが実行するコンピュータの制御方法。
【請求項９】
入力受付部によって受け付けられた操作に応じて、ゲームのフィールド内に射出される移動オブジェクトを表示させる移動オブジェクト表示部と、
前記ゲームのフィールド内に設置されたプレイヤ領域の広さに関する情報を用いて、前記フィールド内に射出された移動オブジェクトの少なくとも一部が当該プレイヤ領域と当該プレイヤ領域とは異なる他の領域との境界に接触したか否かを判定する境界判定部と、
前記移動オブジェクトが前記境界に接触したと判定された場合、前記移動オブジェクトに応じて決定された大きさで、前記プレイヤ領域を、前記他の領域に向けて前記移動オブジェクトの属性に応じた態様で拡大する領域変更部とを備えた情報処理装置。
【発明の詳細な説明】
【技術分野】
【０００１】
本発明は、ゲームプログラム、コンピュータの制御方法および情報処理装置に関し、特に、移動オブジェクトが表示されるゲームに関するゲームプログラム、コンピュータの制御方法および情報処理装置に関する。
【背景技術】
【０００２】
近年、通信機能を搭載したスマートフォンやタブレット等の電子デバイスの普及に伴い、上記電子デバイスを用いた陣地取りゲームに関する技術が盛んに開発されている。
【０００３】
上記技術の一例として、複数のプレイヤが仮想の領域内で陣地を取り合うゲームであって、戦闘の陣地争奪をシミュレートするような場面設定がされているものがある。
【０００４】
例えば、特許文献１には、ゲームのスキルが低いプレイヤ等に対してゲームに参加するモチベーションを与えるように仮想の共通遊戯領域内において複数のプレイヤが領域を取り合うという陣取りシミュレーションゲームが開示されている。
【０００５】
また、特許文献２には、夫々のプレイヤＡ、Ｂの拠点（陣）の位置をカードの配置によって設定し、それぞれのカードが配置された空間をフィールドとしてプレイヤＡ、Ｂが互いの拠点を奪い合う陣取りゲームが開示されている。
【０００６】
このような電子デバイス用のゲームでは、プレイヤが陣地を広げる方向や大きさなどを指示して自分の陣地を広げる。つまり、複数のプレイヤが仮想の領域内で指示を出して、お互いの陣地を取り合い、ゲームが進行するものであった。
【先行技術文献】
【特許文献】
【０００７】
【特許文献１】特開２０１４−０７３１６４号公報
【特許文献２】特開２０１２−１７８０６４号公報
【発明の概要】
【発明が解決しようとする課題】
【０００８】
しかしながら、上述したような従来の陣地取りゲームにおいては、指示が明確かつ単調になってしまうという問題があった。
【０００９】
そこで、電子デバイス用のゲームにおいて、より趣向性を高めた、陣地取りゲームにおける指示方法が求められていた。
【００１０】
本発明の目的は、上記問題を解決し、趣向性の高いゲームを実現することができるゲームプログラム、コンピュータの制御方法および情報処理装置を提供することにある。
【課題を解決するための手段】
【００１１】
本発明のゲームプログラムは、コンピュータに、プレイヤによる所定の操作に応じて、ゲームのフィールド内に移動オブジェクトが射出されるように、当該移動オブジェクトを表示させる移動オブジェクト表示機能と、プレイヤが移動オブジェクトを射出可能なプレイヤ領域と、当該プレイヤ領域とは異なる他の領域との境界に、フィールド内に射出された移動オブジェクトの少なくとも一部が接触した場合、当該プレイヤ領域が当該他の領域に向けて拡大するように、当該プレイヤ領域を変更する領域変更機能とを実現させることを特徴とする。
【００１２】
ゲームプログラムは、コンピュータに、プレイヤの操作に応じてプレイヤ領域に領域確定オブジェクトを配置する領域確定オブジェクト配置機能をさらに実現させることができる。
【００１３】
フィールド内に射出された移動オブジェクトの少なくとも一部が境界に接触するように、当該境界に重畳して表示されたか否かを判定する境界判定機能をさらに実現させることができる。
【００１４】
移動オブジェクトには、当該移動オブジェクトの性質を表す属性があらかじめ設定されており、ゲームプログラムは、コンピュータに、移動オブジェクトに設定された属性に応じて、領域変更機能によって拡大される領域の大きさを決定する拡大領域決定機能をさらに実現させることができる。
【００１５】
移動オブジェクトおよび領域確定オブジェクトには、当該移動オブジェクトおよび当該領域確定オブジェクトの各性質を表す属性がそれぞれ設定されており、ゲームプログラムは、コンピュータに、移動オブジェクトが領域確定オブジェクトに接触した場合、当該移動オブジェクトに設定された属性と、当該領域確定オブジェクトに設定された属性との組み合わせに応じて、当該移動オブジェクトの移動および／または当該領域確定オブジェクトの状態を変化させるオブジェクト変化機能をさらに実現させることができる。
【００１６】
ゲームプログラムは、コンピュータに、移動オブジェクトの少なくとも一部がプレイヤによって配置された領域確定オブジェクトに接触した場合、当該プレイヤに所定の特典を付与する特典付与機能をさらに実現させることができる。
【００１７】
ゲームプログラムは、コンピュータに、特典付与機能によって付与された所定の特典を用いることによって、移動オブジェクトに設定された属性および／または領域確定オブジェクトに設定された属性を変化させる属性変更機能をさらに実現させることができる。
【００１８】
ゲームプログラムは、コンピュータに、フィールド内に移動オブジェクトを射出する強度を指定する強度指定機能をさらに実現させ、移動オブジェクト表示機能は、強度指定機能によって指定された強度に応じて移動オブジェクトが射出されるように、当該移動オブジェクトを表示させることができる。
【００１９】
本発明のコンピュータの制御方法は、プレイヤによる所定の操作に応じて、ゲームのフィールド内に移動オブジェクトが射出されるように、当該移動オブジェクトを表示させる移動オブジェクト表示ステップと、プレイヤが移動オブジェクトを射出可能なプレイヤ領域と、当該プレイヤ領域とは異なる他の領域との境界に、フィールド内に射出した移動オブジェクトの少なくとも一部が接触した場合、当該プレイヤ領域が当該他の領域に向けて拡大するように、当該プレイヤ領域を変更する領域変更ステップとを含むことを特徴とする。
【００２０】
本発明の情報処理装置は、プレイヤによる所定の操作に応じて、ゲームのフィールド内に移動オブジェクトが射出されるように、当該移動オブジェクトを表示させる移動オブジェクト表示部と、プレイヤが移動オブジェクトを射出可能なプレイヤ領域と、当該プレイヤ領域とは異なる他の領域との境界に、フィールド内に射出された移動オブジェクトの少なくとも一部が接触した場合、当該プレイヤ領域が当該他の領域に向けて拡大するように、当該プレイヤ領域を変更する領域変更部とを備えることを特徴とする。
【発明の効果】
【００２１】
本発明によれば、プレイヤが移動オブジェクトを射出可能なプレイヤ領域と、当該プレイヤ領域とは異なる他の領域との境界に、フィールド内に射出された移動オブジェクトの少なくとも一部が接触した場合、当該プレイヤ領域が当該他の領域に向けて拡大するように、当該プレイヤ領域を変更する領域変更機能とを実現させることにより、趣向性の高いゲームを実現することができる。
【図面の簡単な説明】
【００２２】
【図１】本発明の情報処理装置の模式的なブロック図の一例を示す
【図２】本発明の情報処理装置により生成されるゲーム画面の一例を示す模式図を示す
【図３】本発明の情報処理装置により生成されるゲーム画面の一例を示す模式図を示す
【図４】本発明の情報処理装置により生成されるゲーム画面の一例を示す模式図を示す
【図５】本発明の情報処理装置により生成されるゲーム画面の一例を示す模式図を示す
【図６】本発明の情報処理装置により生成されるゲーム画面の一例を示す模式図を示す
【図７】本発明のコンピュータの制御方法のフローを説明するためのフローチャートを示す
【発明を実施するための形態】
【００２３】
初めに、本発明の情報処理装置の実施形態について、図面を参照しながら詳細に説明する。
【００２４】
図１は、本発明の実施形態に従う情報処理装置の一例を示す機能ブロック図である。図１に示すように、本発明の情報処理装置１００は、移動オブジェクト表示部１１０と、領域変更部１２０とを備えるものとする。なお、図１では、一例として、本発明の情報処理装置１００が、ネットワーク１０を介して１以上のプレイヤの端末２０と接続される例が示されている。
【００２５】
本実施形態では、一例として、複数のプレイヤで構成されるグループ同士がリアルタイムで陣地取りを行うゲームである場合を想定して説明を行う。
【００２６】
本実施形態では、各プレイヤに情報が与えられており、プレイヤが与えられた情報としては、プレイをするそれぞれプレイヤの領域の広さ、場所および／または時間等の基本的な情報と、ゲームの進行に応じて変化する状態の情報（得られたアイテム、アイテムを操れる能力および／または攻撃力等）を有することができる。
【００２７】
上記移動オブジェクト表示部１１０は、プレイヤによる所定の操作に応じて、ゲームのフィールド内に移動オブジェクトが射出されるように、当該移動オブジェクトを表示させる。
【００２８】
上記移動オブジェクトは、プレイヤが領域を広げるための道具であって、丸形、球状(ボール状)、星形、槍型など、シチュエーションに合わせて形状を設定することができる。
【００２９】
上記移動オブジェクトの射出方法としては、例えば、ピンボールゲームで使用されるフリッパーを射出手段として用いてはじき出すことができる。かかる構成によれば、プレイヤに対し、上記フリッパーを操るための難易度の高い操作を要求することができる。
【００３０】
他の上記移動オブジェクトの射出方法としては、例えば、ビリヤードで用いられるキューを射出手段として用いてはじき出すことができる。かかる構成によれば、プレイヤに対し、上記キューを操るための難易度の高い操作を要求することができる。
【００３１】
これらのような射出手段を用いると、プレイヤの運動能力によって上記移動オブジェクトの射出される方向や勢いが異なってくる。そして、射出手段の操作によって射出強度を調節することができるため、広げる陣地の方向や大きさに不確実性をもたらし、ゲームとしての興趣性を高めることができる。
【００３２】
上記領域変更部１２０は、上記プレイヤが上記移動オブジェクトを射出可能なプレイヤ領域と、当該プレイヤ領域とは異なる他の領域との境界に、上記フィールド内に射出された移動オブジェクトの少なくとも一部が接触した場合、当該プレイヤ領域が当該他の領域に向けて拡大するように、当該プレイヤ領域を変更する。
【００３３】
上記移動オブジェクト表示部１１０は、上記移動オブジェクトを弾力性があるボールと設定した場合には、その一部が、プレイヤ領域と、当該プレイヤ領域とは異なる他の領域との境界で跳ね返る演出をすることができる。
【００３４】
この場合、上記境界に上記ボールの一部が接触することになり、上記領域変更部１２０は、当該プレイヤ領域を当該他の領域に向けて拡大するように当該プレイヤ領域を変更することができる。
【００３５】
このように、上記プレイヤは、領域を広げたい方面を狙って、プレイヤ領域とは異なる他の領域に移動オブジェクトを接触させることによって、プレイヤの陣地を広げていくことができる。
【００３６】
また、二人以上のプレイヤがそれぞれのプレイヤ領域を広げていき、お互いのプレイヤ領域が重なった場合、これら複数のプレイヤ同士で対戦を開始することができる。
【００３７】
対戦における勝敗の決定方法としては、例えば、プレイヤの領域内において、プレイヤが上記射出手段よりも奥に対戦相手の移動オブジェクトの侵入を許した場合に負けとすることができる。
【００３８】
プレイヤは、上記射出手段をプレイヤの領域ならばどこにでも設置することができるため、プレイヤ領域の任意の位置から上記移動オブジェクトを射出することができ、対戦相手からの攻撃をかわしやすい場所に設置することができる。
【００３９】
図２は、本発明の情報処理装置１００により生成されるゲームのゲーム画面の一例を示す模式図である。
【００４０】
図２に示すように、ゲーム画面８００は、４人のプレイヤａ〜ｄがプレイする例を表示する。プレイヤａ〜ｄは、射出手段３００（図２では、射出手段３００ａ〜ｄ）を操作して、プレイヤａ〜ｄが領土を広げたい方向へ移動オブジェクト２００（図２では、移動オブジェクト２００ａ〜ｄ）をプレイヤ領域４００（図２では、プレイヤ領域４００ａ〜ｄ）とプレイヤ領域４００とは異なる他の領域５００との境界６００に目掛けて射出することができる。
【００４１】
例えば、プレイヤａの移動オブジェクト２００ａが境界６００に接触すると、プレイヤ領域４００ａが他の領域５００に向けて拡大して、プレイヤａのプレイヤ領域４００ａを広げることができる。
【００４２】
なお、本発明の実施形態に従う情報処理装置１００は、プレイヤの操作を受け付ける入力受付部１０１（不図示）と、移動オブジェクト表示部１１０を含めるオブジェクト認識部１１１（不図示）を備えることができる。
【００４３】
上記入力受付部１０１でのプレイヤの操作の受付によって、射出手段３００の操作が可能となる。
【００４４】
上記オブジェクト認識部１１１は、射出された移動オブジェクト２００がどの位置に配置されているのかを認識する。
【００４５】
上記移動オブジェクト２００には、当該移動オブジェクト２００の性質を表す属性があらかじめ設定されており、上記情報処理装置１００は、上記移動オブジェクト２００に設定された属性に応じて、上記領域変更部１２０によって拡大される領域の大きさを決定する拡大領域決定部１３０をさらに備えることができる。
【００４６】
上記拡大領域決定部１３０は、上記移動オブジェクト２００に属性が設定されていることによって、領域の広がり方に変化を持たせることになり、プレイヤがより戦略的にプレイする必要性と、ゲームとしての興趣性とを高めることができる。
【００４７】
上記移動オブジェクト２００の属性には、例えば、火、水、木、騎馬隊および／または鉄砲隊等の性質を含ませることができる。
【００４８】
本発明の情報処理装置１００は、上記拡大領域決定部１３０が拡大される領域の大きさを決めると、上記領域変更部１２０がプレイヤ領域４００を変更することができる。その際、移動オブジェクト２００の属性によって、拡大される領域が丸く広がったり、裂けるように広がったりと、変化のある演出をすることができる。
【００４９】
例えば、騎馬隊の属性を有する移動オブジェクト２００は、境界６００を浅く、かつ、広く打ち抜く設定とすることができる。また、例えば、鉄砲隊の属性を有する移動オブジェクト２００は、境界６００を深く打ち抜くことができる設定とするとすることができる。
【００５０】
また、威力が同じ射出をした場合であっても、上記移動オブジェクト２００の属性が異なれば、基準となる拡大される領域の大きさよりも広くまたは狭く拡大される領土の広さを変更することができる。
【００５１】
二人以上のプレイヤの領域４００が拡大して同じ領域になった場合には、それぞれの移動オブジェクト２００が同じ領域内で射出されることになる。この場合には、プレイヤおよび対戦相手が射出した移動オブジェクト２００同士が衝突することがあり得る。この場合は、移動オブジェクト２００の属性に応じて衝突時の挙動を決めることができる。
【００５２】
例えば、プレイヤの移動オブジェクト２００の属性が火属性であり、対戦相手の移動オブジェクト２００の属性が水属性であった場合には、上記衝突により、火属性の移動オブジェクト２００の耐久度を下げる設定とすることができる。この耐久度は、各移動オブジェクトに対して設定されており、上記衝突によりこの耐久度は減少し、０になると、移動オブジェクトが壊れて消滅するなどの効果を生じさせることができる。また、この耐久度が低い程、境界に衝突時に拡大される領域が小さくなるものとすることもできる。さらに、この耐久度は、プレイヤが視認可能に表現されることもできる。詳細については後述する。
【００５３】
また、本発明の情報処理装置１００は、上記フィールド内に射出された移動オブジェクト２００の少なくとも一部が上記境界６００に接触するように、当該境界６００に重畳して表示されたか否かを判定する境界判定部１４０をさらに備えることができる。
【００５４】
上記境界判定部１４０は、上記移動オブジェクト２００が、例えば、円形、球状で表わされて移動オブジェクト２００の周囲すべてが境界６００に触れることがないため、移動オブジェクト２００の周囲の少なくとも一部が上記境界６００に接触するか否かを判定することができる。
【００５５】
また、本発明の情報処理装置１００は、プレイヤの操作に応じて前記プレイヤ領域に領域確定オブジェクト７００を配置する領域確定オブジェクト配置部１５０をさらに備えることができる。移動オブジェクト２００がこの領域確定オブジェクト７００に接触した場合、移動オブジェクト２００は領域確定オブジェクト７００に反射して、その移動経路が変更されるものとすることができる。
【００５６】
図３は、本発明の情報処理装置１００により生成されるゲームの一例を示す模式図である。
【００５７】
図３には、プレイヤａ，ｂのプレイヤ領域４００ａ，ｂが領域拡大によって繋がり、同じプレイヤ領域４００で、プレイヤおよび対戦相手の移動オブジェクト２００ａ，ｂが射出される図を示す。また、プレイヤ領域４００に領域確定オブジェクト７００を配置することによって、移動オブジェクト２００ａ，ｂの動きがより複雑に、また、プレイヤの戦略性がより必要とされる構成とすることができる。
【００５８】
上記領域確定オブジェクト７００は、ピンや旗のような形状とすることができる。
【００５９】
プレイヤは、プレイヤ領域内に上記領域確定オブジェクト７００を配置することによって、移動オブジェクト２００の経路を制限することができる。
【００６０】
また、上記領域確定オブジェクト７００は、対戦相手の移動オブジェクト２００の侵入を防ぐことができる。
【００６１】
すなわち、上記領域確定オブジェクト７００が、対戦相手の移動オブジェクト２００と共にプレイヤ自身の移動オブジェクト２００の射出も阻むため、プレイヤは、上記領域確定オブジェクト７００の配置をするか否かおよび／または上記領域確定オブジェクト７００の配置位置について戦略性が求められる。
【００６２】
上記移動オブジェクト２００および上記領域確定オブジェクト７００には、当該移動オブジェクト２００および当該領域確定オブジェクト７００の各性質を表す属性がそれぞれ設定されており、上記情報処理装置１００は、上記移動オブジェクト２００が上記領域確定オブジェクト７００に接触した場合、当該移動オブジェクト２００に設定された属性と、当該領域確定オブジェクト７００に設定された属性との組み合わせに応じて、当該移動オブジェクト２００の移動および／または当該領域確定オブジェクト７００の状態を変化させるオブジェクト変化部１６０をさらに備えることができる。
【００６３】
例えば、上記オブジェクト変化部１６０は、上記移動オブジェクト２００の性質を表す属性が火属性であり、上記領域確定オブジェクト７００の属性が木属性である場合に、移動オブジェクト２００が領域確定オブジェクト７００に衝突すると、その後移動オブジェクト２００が境界に衝突した際に拡大される領域が、領域確定オブジェクト７００に衝突しなかった場合と比較して大きくなるものとすることができる。これは、火属性の移動オブジェクト２００が木属性の領域確定オブジェクト７００を燃料として火の威力を増した状態を表現したものであり、この状態は、移動オブジェクト２００に炎のエフェクトを加えるなどして、プレイヤが視認可能に表現することもできる。
【００６４】
本発明の情報処理装置１００は、上記領域確定オブジェクト７００の属性を変化させると、領域確定オブジェクト７００を配置できる領域や領域確定オブジェクト７００を配置できる間隔を変化させることができる。対戦相手の領域に配置できる領域確定オブジェクト７００を設定しても良い。
【００６５】
プレイヤの領域に配置するプレイヤおよび／または対戦相手の領域確定オブジェクト７００と、対戦相手の領域に配置するプレイヤおよび／または対戦相手の領域確定オブジェクト７００との配置ルールを異ならせることもできる。
【００６６】
上記領域確定オブジェクト７００の属性によっては、領域確定オブジェクト７００を連続して立てることで壁を作ることができたり、所定の間隔を開けないと配置できないものとしたりすることができる。
【００６７】
本発明の情報処理装置１００は、上記移動オブジェクト２００の少なくとも一部が上記プレイヤによって配置された上記領域確定オブジェクト７００に接触した場合、当該プレイヤに所定の特典を付与する特典付与部１７０をさらに備えることができる。
【００６８】
上記特典は、例えば、移動オブジェクト２００の少なくとも一部が上記境界に接触した場合に、確定オブジェクト７００に接触せずに直接上記境界に接触した場合と比較して、プレイヤ領域を他の領域に向けてより面積を多く拡大する特典とすることができる。
【００６９】
また、上記特典付与部１７０は、プレイヤの移動オブジェクト２００がプレイヤによって配置された領域確定オブジェクト７００に接触した場合、得点やアイテム等を付与することもできる。
【００７０】
上記アイテムをプレイヤが使用することによって、上記移動オブジェクト２００の性能を強化したり、上記領域確定オブジェクト７００の性能を強化したり、射出手段の性能を強化したりすることができる。
【００７１】
上記移動オブジェクトの性能には、移動オブジェクトの耐久度、移動速度および威力等を含めることができる。また、上記領域確定オブジェクトの性能には、領域確定オブジェクトの耐久度、配置できる領域・間隔等を含めることができる。また、上記射出手段の性能には、射出手段が移動オブジェクトを射出する力の強さ等を含めることができる。
【００７２】
本発明の情報処理装置１００は、上記特典付与部１７０によって付与された所定の特典を用いることによって、上記移動オブジェクト２００に設定された属性および／または上記領域確定オブジェクト７００に設定された属性を変化させる属性変更部１８０をさらに備えることができる。
【００７３】
上記属性変更部１８０は、プレイヤによって得られた特典を用いて、上記移動オブジェクト２００に設定された属性および／または上記領域確定オブジェクト７００に設定された属性を変化させ、プレイヤがより有利にゲームを進めるためのゲームの興趣性を高めることができる。
【００７４】
付与された特典を使うことによって、プレイヤは、上記移動オブジェクト２００を強化させたり、属性を変化させたりすることができる。
【００７５】
付与された特典を使うことによって、プレイヤは、上記領域確定オブジェクト７００を強化させたり、属性を変化させたりすることができる。
【００７６】
他の例としては、付与された特典を使うことによって、プレイヤは、射出手段３００を強化したり、射出強度を上げたり、上記移動オブジェクト２００の数を増やして陣地を拡大する効率を上げたり、上記領域確定オブジェクト７００の数を増やして対戦相手の移動オブジェクト２００の侵入を確実に防ぐように領域確定オブジェクト７００を配置ことができる。
【００７７】
本発明の情報処理装置１００は、上記フィールド内に上記移動オブジェクト２００を射出する強度を指定する強度指定部１９０をさらに備え、上記移動オブジェクト表示部１１０は、上記強度指定部１９０によって指定された強度に応じて上記移動オブジェクト２００が射出されるように、当該移動オブジェクト２００を表示させることができる。
【００７８】
上記強度指定部１９０の上記移動オブジェクト２００を射出する強度の指定は、例えば、プレイヤによるフリッパーや、キューの操作の強度や速さを指定することである。
【００７９】
本実施形態では、マルチプレイをする形態として、それぞれのプレイヤが順番に移動オブジェクト２００を射出するターン制、それぞれのプレイヤが実時間でプレイをするリアルタイム制および一定時間で移動オブジェクトの射出回数が決まっており、各自が任意のタイミングでプレイをする射出回数制限制などを取ることができる。
【００８０】
本実施形態では、他のプレイヤと同盟を結ぶことができる。これにより、領域を広げるためのバリエーションを増やすことができ、ゲームとしての興趣性を高めることができる。
【００８１】
本実施形態では、プレイヤ領域の射出方向とは反対側に移動オブジェクト２００が戻ってくるように、各プレイヤのプレイヤ領域４００ごとに傾斜を設定することができる。
【００８２】
本発明の情報処理装置１００は、プレイヤの端末２０とネットワーク１０を介して接続されたサーバ装置として機能することもできるし、プレイヤの端末２０自体が本発明の情報処理装置１００を備える構成とすることもできる。前者の場合、本発明の情報処理装置１００により処理されるゲームはブラウザゲームとして、後者の場合はネイティブゲームとして機能する。
【００８３】
また、本発明の情報処理装置１００が、プレイヤの端末２０とネットワーク１０を介して接続されたサーバ装置として機能する場合には、第一のゲーム画面および第二のゲーム画面をサーバ装置によるブラウザ表示とし、その他のメニュー画面等をプレイヤの端末２０によるネイティブ表示としたハイブリッドゲームとすることもできる。
【００８４】
また、プレイヤの端末２０は、スマートフォン等の電子デバイスとして説明を行ったが、ゲーム専用機である家庭用ゲーム機や、携帯ゲーム機等のコンシューマ機とすることもできる。
【００８５】
続いて、本発明の情報処理装置１００により処理されるゲームの一例について図面を参照しながら説明する。
【００８６】
図４は、本発明の情報処理装置により生成されるゲーム画面の一例を示す模式図であり、図４（ａ）は、ゲーム画面８００において対戦相手であるプレイヤｃの移動オブジェクト２００ｃがプレイヤａの領域４００ａに侵入した図を、図４（ｂ）は、移動オブジェクト２００ａが領域確定オブジェクト７００に跳ね返ってから境界６００に衝突する図を、図４（ｃ）は、領域確定オブジェクト７００が移動オブジェクト２００ａを跳ね返す図を表示したものである。
【００８７】
図４（ａ）に示すように、射出手段よりも、プレイヤａの射出する方向とは反対となる向きへ対戦相手の移動オブジェクト２００ｃが侵入すると、負けとなる対戦ルールとすることができる。
【００８８】
図４（ｂ）に示すように、移動オブジェクト２００が領域確定オブジェクト７００に当たることによって、得点が獲得されて、当たった移動オブジェクト２００が境界に接触すると、領域を拡大する威力をより増すことができる。
【００８９】
また、図４（ｃ）に示すように、領域確定オブジェクト７００は、対戦相手の移動オブジェクト２００の侵入を防ぐことができる。
【００９０】
図５は、本発明の情報処理装置１００により生成されるゲーム画面の一例を示す模式図である。対象となる領域が日本であり、プレイヤの領域を拡大させることによって、ゲームを進行させることができる。上記ゲーム画面８００に表示する国は、任意のもので構わない。
【００９１】
図６は、本発明の情報処理装置１００により生成されるゲーム画面の一例を示す模式図である。視覚的にも移動オブジェクト２００および領域確定オブジェクト７００の属性が分かるようにすることができる。
【００９２】
図６（ａ）は、例えば、上記移動オブジェクト２００ａの性質を表す属性が火属性であり、上記領域確定オブジェクト７００の属性が木属性である場合に、移動オブジェクト２００ａが領域確定オブジェクト７００に衝突して、領域確定オブジェクト７００に火を付けた表示を視覚的に分かるようにした例である。
【００９３】
図６（ｂ）は、例えば、プレイヤの移動オブジェクト２００ａの属性が火属性であり、対戦相手の移動オブジェクト２００ｂの属性が水属性であった場合には、火属性の移動オブジェクト２００ａの耐久度が下がってヒビが入った表示を視覚的に分かるように表示をした例である。
【００９４】
続いて、本発明のコンピュータの制御方法について図面を参照しながら説明する。
【００９５】
図７は、本発明のコンピュータの制御方法のフローの一例を示すフローチャートである。図７に示すように、本発明のコンピュータの制御方法は、操作入力受付ステップＳ１０１と、道具の作動ステップ１０２と、移動オブジェクト表示ステップＳ１１０と、境界判定ステップＳ１１５と、領域変更ステップＳ１２０と、領域確定オブジェクト７００を配置するステップＳ１３０と、移動オブジェクト２００および領域確定オブジェクト７００の属性を変更させるステップＳ１４０と、特典を付与するステップＳ１５０と、道具の強度を指定するステップＳ１６０と、特典を使用するステップＳ１６１と、移動オブジェクト２００の位置を判定するステップＳ１７０と、プレイヤ同士の勝敗を判定するステップＳ１８０とを備えることができる。
【００９６】
操作入力受付ステップＳ１０１では、プレイヤが意図する方向へ移動オブジェクト２００が向かうように入力する。操作入力受付手段は、入力受付部１０１とすることができる。詳細については上述した通りである。
【００９７】
道具の作動ステップ１０２では、プレイヤの操作によって、射出手段３００が移動オブジェクト２００を射出する。
【００９８】
上記移動オブジェクト表示ステップＳ１１０では、プレイヤによる所定の操作に応じて、ゲームのフィールド内に移動オブジェクト２００が射出されるように、移動オブジェクト２００を表示させる。移動オブジェクト表示手段は、移動オブジェクト表示部１１０とすることができる。詳細については上述した通りである。
【００９９】
境界判定ステップＳ１１５では、移動オブジェクト２００が境界６００に接触したか否かを判定する。
【０１００】
上記領域変更ステップＳ１２０では、プレイヤが移動オブジェクトを射出可能なプレイヤ領域と、プレイヤ領域とは異なる他の領域との境界に、フィールド内に射出した移動オブジェクトの少なくとも一部が接触した場合、プレイヤ領域が他の領域に向けて拡大するように、プレイヤ領域を変更する。プレイヤ領域変更手段は、領域変更部１２０とすることができる。詳細については上述した通りである。
【０１０１】
領域確定オブジェクト７００を配置するステップＳ１３０では、プレイヤがプレイヤ領域４００に領域確定オブジェクト７００を配置する。プレイヤの領域４００に対戦相手の移動オブジェクト２００が侵入しないよう配置することができる。配置手段は、領域確定オブジェクト配置部１５０とすることができる。詳細については上述した通りである。
【０１０２】
移動オブジェクト２００および領域確定オブジェクト７００の属性を変更させるステップＳ１４０では、移動オブジェクト２００が領域確定オブジェクト７００に接触した場合、移動オブジェクト２００に設定された属性と、領域確定オブジェクト７００に設定された属性との組み合わせに応じて、移動オブジェクト２００の移動および／または当該領域確定オブジェクト７００の状態を変化させる。属性変更手段は、オブジェクト変化部１６０とすることができる。詳細については上述した通りである。
【０１０３】
特典を付与するステップＳ１５０では、移動オブジェクト２００がプレイヤによって配置された領域確定オブジェクト７００に接触した場合、プレイヤに所定の特典を付与する。特典付与処理は、特典付与部１７０とすることができる。詳細については上述した通りである。
【０１０４】
射出手段の強度を指定するステップＳ１６０では、フィールド内に移動オブジェクトを射出する強度を指定する。強度指定処理は、強度指定部１９０とすることができる。詳細については上述した通りである。
【０１０５】
特典を使用するステップＳ１６１では、特典を付与するステップＳ１５０で付与された特典をプレイヤが使用する。
【０１０６】
移動オブジェクト２００の位置を判定するステップＳ１７０では、射出された移動オブジェクト２００がどこに位置するのかを認定する。位置判定手段は、オブジェクト認識部１１１とすることができる。詳細については上述した通りである。
【０１０７】
プレイヤ同士の勝敗を判定するステップＳ１８０では、オブジェクト認識部１１１によって移動オブジェクト２００がプレイヤ領域４００のどの位置にあるのかを判定されると、この判定を基にしてプレイヤ同士の勝敗を判定する。例えば、プレイヤの領域内において、移動オブジェクト２００が移動オブジェクト２００の射出手段３００よりも奥に対戦相手の移動オブジェクト２００が位置するとオブジェクト認識部１１１が認定した場合には、侵入されたプレイヤの負けと判定される。
【０１０８】
最後に、本発明のゲームプログラムについて説明する。
【０１０９】
本発明のゲームプログラムは、コンピュータに、移動オブジェクト表示機能と、領域変更機能とを実現させる。
【０１１０】
上記移動オブジェクト表示機能は、プレイヤによる所定の操作に応じて、ゲームのフィールド内に移動オブジェクトが射出されるように、当該移動オブジェクトを表示させる。移動オブジェクト表示機能は、上述した移動オブジェクト表示部１１０により実現されることができる。詳細については上述した通りである。
【０１１１】
上記、領域変更機能は、プレイヤが移動オブジェクトを射出可能なプレイヤ領域と、プレイヤ領域とは異なる他の領域との境界に、フィールド内に射出された移動オブジェクトの少なくとも一部が接触した場合、プレイヤ領域が他の領域に向けて拡大するように、プレイヤ領域を変更する領域変更機能とを実現させる。領域変更機能は、上述した領域変更部１２０により実現されることができる。詳細については上述した通りである。
【０１１２】
上記ゲームプログラムは、コンピュータが読み取り可能な記録媒体に記録されて提供することができる。記録媒体としては、ＣＤ−ＲＯＭやＤＶＤ等、コンピュータが読み取り可能なものであれば特に限定されるものではない。
【０１１３】
あるいは、上記ゲームプログラムは、例えば、ＨＴＭＬ５等のマークアップ言語で作成することもできる。
【０１１４】
上述したところは、代表的な実施形態の例を示したものであって、本発明はこの実施形態に限定されるものではない。以下に、本願の原出願の出願当初の特許請求の範囲に記載された発明を付記する。
［１］
コンピュータに、
プレイヤによる所定の操作に応じて、ゲームのフィールド内に移動オブジェクトが射出
されるように、当該移動オブジェクトを表示させる移動オブジェクト表示機能と、
前記プレイヤが前記移動オブジェクトを射出可能なプレイヤ領域と、当該プレイヤ領域
とは異なる他の領域との境界に、前記フィールド内に射出された移動オブジェクトの少な
くとも一部が接触した場合、当該プレイヤ領域が当該他の領域に向けて拡大するように、
当該プレイヤ領域を変更する領域変更機能とを実現させるゲームプログラム。
［２］
前記ゲームプログラムは、前記コンピュータに、
前記プレイヤの操作に応じて前記プレイヤ領域に領域確定オブジェクトを配置する領域
確定オブジェクト配置機能をさらに実現させることを特徴とする上記［１］に記載のゲームプログラム。
［３］
前記ゲームプログラムは、前記コンピュータに、
前記フィールド内に射出された移動オブジェクトの少なくとも一部が前記境界に接触す
るように、当該境界に重畳して表示されたか否かを判定する境界判定機能をさらに実現さ
せることを特徴とする上記［１］または［２］に記載のゲームプログラム。
［４］
前記移動オブジェクトには、当該移動オブジェクトの性質を表す属性があらかじめ設定
されており、
前記ゲームプログラムは、前記コンピュータに、
前記移動オブジェクトに設定された属性に応じて、前記領域変更機能によって拡大され
る領域の大きさを決定する拡大領域決定機能をさらに実現させることを特徴とする上記［１］から［３］のいずれか一項に記載のゲームプログラム。
［５］
前記移動オブジェクトおよび前記領域確定オブジェクトには、当該移動オブジェクトお
よび当該領域確定オブジェクトの各性質を表す属性がそれぞれ設定されており、
前記ゲームプログラムは、前記コンピュータに、
前記移動オブジェクトが前記領域確定オブジェクトに接触した場合、当該移動オブジェ
クトに設定された属性と、当該領域確定オブジェクトに設定された属性との組み合わせに
応じて、当該移動オブジェクトの移動および／または当該領域確定オブジェクトの状態を
変化させるオブジェクト変化機能をさらに実現させることを特徴とする上記［２］に記載のゲームプログラム。
［６］
前記ゲームプログラムは、前記コンピュータに、
前記移動オブジェクトの少なくとも一部が前記プレイヤによって配置された前記領域確
定オブジェクトに接触した場合、当該プレイヤに所定の特典を付与する特典付与機能をさ
らに実現させることを特徴とする上記［２］または［５］に記載のゲームプログラム。
［７］
前記ゲームプログラムは、前記コンピュータに、
前記特典付与機能によって付与された所定の特典を用いることによって、前記移動オブ
ジェクトに設定された属性および／または前記領域確定オブジェクトに設定された属性を
変化させる属性変更機能をさらに実現させることを特徴とする上記［６］に記載のゲームプログラム。
［８］
前記ゲームプログラムは、前記コンピュータに、
前記フィールド内に前記移動オブジェクトを射出する強度を指定する強度指定機能をさ
らに実現させ、
前記移動オブジェクト表示機能は、前記強度指定機能によって指定された強度に応じて
前記移動オブジェクトが射出されるように、当該移動オブジェクトを表示させることを特
徴とする上記［１］から［７］のいずれか一項に記載のゲームプログラム。
［９］
プレイヤによる所定の操作に応じて、ゲームのフィールド内に移動オブジェクトが射出
されるように、当該移動オブジェクトを表示させる移動オブジェクト表示ステップと、
前記プレイヤが前記移動オブジェクトを射出可能なプレイヤ領域と、当該プレイヤ領域
とは異なる他の領域との境界に、前記フィールド内に射出した移動オブジェクトの少なく
とも一部が接触した場合、当該プレイヤ領域が当該他の領域に向けて拡大するように、当
該プレイヤ領域を変更する領域変更ステップとを含むコンピュータの制御方法。
［１０］
プレイヤによる所定の操作に応じて、ゲームのフィールド内に移動オブジェクトが射出
されるように、当該移動オブジェクトを表示させる移動オブジェクト表示部と、
前記プレイヤが前記移動オブジェクトを射出可能なプレイヤ領域と、当該プレイヤ領域
とは異なる他の領域との境界に、前記フィールド内に射出された移動オブジェクトの少な
くとも一部が接触した場合、当該プレイヤ領域が当該他の領域に向けて拡大するように、
当該プレイヤ領域を変更する領域変更部とを備えた情報処理装置。
【符号の説明】
【０１１５】
１００  情報処理装置
１１０  移動オブジェクト表示部
１２０  領域変更部
１３０  拡大領域決定部
１４０  境界判定部
１５０  領域確定オブジェクト配置部
１６０  オブジェクト変化部
１７０  特典付与部
１８０  属性変更部
１９０  強度指定部
１０  ネットワーク
２０  プレイヤの端末
２００  移動オブジェクト
３００  射出手段
４００  プレイヤ領域
５００  他の領域
６００  境界
７００  領域確定オブジェクト
８００  ゲーム画面
【図１】
0005905626.tif 000002
【図２】
0005905626.tif 000003
【図３】
0005905626.tif 000004
【図４】
0005905626.tif 000005
【図５】
0005905626.tif 000006
【図６】
0005905626.tif 000007
【図７】
0005905626.tif 000008